(57)【特許請求の範囲】
【請求項１】
魚釣りに用いるスピナベイト型ルアーであって、
長手方向の中央部分で略くの字型に折り曲げられ、前記中央部分が釣糸連結部分であるシャフトと、
前記シャフトの一端に回転自在に連結されるブレイド部と、
前記シャフトの他端に連結され魚の頭部に似せて形成されたボディ部と、
前記ボディ部に連結されるフック及びフラスカートとを備え、
前記シャフトは、前記中央部分と前記ブレイド部が連結される一端との間に於いて、一方向から押し潰されたように断面が扁平して加工されている、ルアー。
【請求項２】
前記シャフトは前記中央部分と前記ボディ部が連結される他端との間においても、さらに一方向から押し潰されたように断面が扁平して加工されている、請求項１に記載のルアー。
【請求項３】
前記シャフトの断面の扁平形状は左右方向に短径である楕円型である、請求項１又は２に記載のルアー。
【発明の詳細な説明】
【０００１】
【発明の属する技術分野】
本発明は魚釣りに用いるルアー、特に、スピナベイト型と呼ばれるルアーに関する。
【０００２】
【従来の技術】
ルアーの中には、水中で振動しつつ複雑な動きを演出して魚の興味を強く引き立てる為の工夫が為されたものとして、スピナベイト型と呼ばれるルアーがある。
この従来のスピナベイト型ルアーは、「く」の字型に折り曲げられた金属製のシャフトと、このシャフトの一端に回転自在に連結された小判型のブレイドと呼ばれる部材と、シャフトの他端に連結され魚の頭部に似せて形成されたボディ部とを有している。ボディ部はバレット状の金属等からなる部材であり、後部には釣針とナイロン樹脂等からなるフラスカートが連結される。
【０００３】
このスピナベイト型ルアーでは、水中で引き寄せられ泳動すると水圧によってシャフトが振動し、ブレイドが水流を受けて回転する。すると、このブレイド回転によって生じる振動がシャフトに伝達され、シャフトを介してボディ部にこの振動が伝達される。そして、ボディ部が振動すると共にフラスカートが流水になびくことになり、このルアーは様々な動きを演出して魚の興味を引き立てるのである。
【０００４】
【発明が解決しようとする課題】
このようなスピナベイト型のルアーの中には、ブレイドからの振動を良好にボディに伝達するために、シャフトを弾性の高い形状記憶合金から形成したり、極めて細い線材を用いて形成したりするなどの工夫を施しているものがある。
しかし、このような工夫を施したスピナベイト型ルアーでは、ブレイドからの振動がシャフト上で増幅されるものの、逆に振動がシャフトに吸収されてしまうような現象も見られる。即ち、従来のこの種のスピナベイト型ルアーでは、シャフト全体が形状記憶合金等から形成されており、シャフトの振動中心となるシャフトの折り曲げ部分も弾性に富むため、この折り曲げ部分において振動が減衰してしまう場合があるのである。
【０００５】
また、従来のこの種のルアーのように形状記憶合金など用いてシャフトを製造すればコストの上昇を招くことにもなる。
本発明の課題は、ブレイドからの振動が良好にボディに伝達されて様々な動きを為し、経済的且つ簡易に製造可能なスピナベイト型ルアーを提供することにある。
【０００６】
【課題を解決するための手段】
発明１のルアーは、魚釣りに用いるスピナベイト型ルアーであって、長手方向の中央部分で略くの字型に折り曲げられ、中央部分が釣糸連結部分であるシャフトと、シャフトの一端に回転自在に連結されるブレイド部と、シャフトの他端に連結され魚の頭部に似せて形成されたボディ部と、ボディ部に連結されるフック及びフラスカートとを備えている。そして、シャフトは、中央部分とブレイド部が連結される一端との間に於いて、一方向から押し潰されたように断面が扁平して加工されている。
【０００７】
このルアーはシャフトの釣糸連結部分に釣糸を連結して用いられる。このルアーを水中に投げ入れ泳動させると、水流によってブレイドが水流を受けて回転し、シャフトが振動し、シャフトに連結されているボディ部も振動する。そして、フラスカートが流水になびく等様々な動きを演出し魚の興味を引き立てる。
特に、このシャフトは一方向に押し潰されるように断面形状が扁平しており、一方向への弾性がこの一方向に直交する方向比べて大きく、回転するブレイドからの振動が一方向において良好に増幅される。また、このような扁平加工は、中央部分とブレイド部が連結される一端との間に於いて施されており、振動中心となる中央部分において振動が減衰してしまうこともない。そして、一方向に増幅された振動が良好にボディ部に伝達される。
【０００８】
なお、このような一方向へ扁平するシャフトはプレス加工等により容易に加工可能であり、且つ、容易に部分的な変形可能も可能である。
発明２のルアーは、発明１のルアーであって、シャフトは中央部分とボディ部が連結される他端との間においても、さらに左右方向から押し潰されたように断面が扁平して加工されている。
【０００９】
このルアーでは、中央部分からブレイド側におけるシャフトのみではなく、さらに、中央部分よりボディ部側に於けるシャフトにおいても扁平加工が施されている。よって、ブレイド側で一方向に増幅された振動は、ボディー部側のシャフト上でも減衰することなく、一方向に良好に増幅されたままボディー部に伝達される。
【００１０】
発明３のルアーは、発明１又は２のルアーであって、シャフトの断面の扁平形状は左右方向に短径である楕円型である。
このルアーでは、シャフトの断面が所定の楕円形状に加工されており、左右方向においては弾性に富み、上下方向においては剛性に富むことになる。このようなシャフトが左右方向に良好にブレイドからの振動を増幅させ、上下方向においては強度を向上させ、様々なルアーの動きを演出する。
【００１１】
なお、ここで左右方向及び上下方向とは、それぞれ、シャフトの断面においてボディ部の左右方向に対応する方向及び上下方向に対応する方向である。
【００１２】
【発明の実施の形態】
以下、本発明の一実施形態について図面を参照しつつ説明する。
本発明の一実施形態を採用したスピナベイト型ルアーは、図１に示すように、金属製線材を「く」の字型に折り曲げて形成されたシャフト１と、シャフト１の一端に回転自在に連結されたブレイド２と、シャフト１の他端に取り付けられたボディ部３と、ボディ部３に連結されるフック４とフラスカート５とを有している。
【００１３】
シャフト１はスチール，アルミニウム，またはこれらの合金等からなる部材でありる。そして、「く」の字型に折り曲げられた折り曲げ部分がさらに折り曲げ変形され釣糸を係止可能な係止部分となっている。このシャフト１は、後述のように、部分的に一方向から押し潰されたように断面が扁平する加工が施されている。また、シャフト１の長手方向の一端はさらに折り返されてフック形状に加工されており、ここに後述のスイベル６が連結されることになる。一方、シャフト１の長手方向の他端はボディ部３に挿入されており、接着剤等によってボディ部３が連結されている。
【００１４】
このシャフト１は、図２及び図３に詳しく示すように、部分的に断面楕円形状に扁平している部分と、通常の針金素材のように断面が円形状となっている部分とを有している（図４〜図６参照）。
まず、釣糸連結部分とするために折り曲げ変形されている中央部分と、ブレイド２（スイベル６）を連結するために折り返されフック形状に加工された一端との間の直線状部分（図１のＸ部分）において、シャフト１は左右が短径となるような断面楕円形状に扁平加工されている（図２参照）。この左右方向とは魚の頭を模したボディ部３の左右方向（図１の紙面に対して垂直）である。一方、釣糸連結部分とするために折り曲げ変形されている中央部分と、ブレイド２（スイベル６）を連結するために折り返されフック形状に加工された一端部分は、このような加工は施されていない（図３参照）。
【００１５】
また、釣糸連結部分とするために折り曲げ変形されている中央部分と、ボディ部３を連結する他端との間の直線状部分（図１のＹ部分）においても、Ｘ部分と同様にシャフト１は左右が短径となるような断面楕円形状に扁平加工されている。なお、このような左右方向へ扁平するシャフト１の断面形状に関する加工はプレス加工等により容易に加工可能であり、且つ、容易に部分的な変形可能も可能である。
【００１６】
ブレイド２は金属または合成樹脂からなる薄板状部材である。ブレイド２は薄板の水平方向において湾曲する等の変形加工が施されており、水流を受けて回転するように工夫されている。特に、その回転を良好にするために、シャフト１との連結部分においては、スイベル６等を介在させてもよい。
ボディ部３は魚の頭に外形を似せて形成された合成樹脂又は金属製部材である。例えば、貼り合わせ面においてシャフト１やフック４，フラスカート５を挟み込み、左右一対の半割部材を接着剤等で貼り合わせて構成される。外周には、必要に応じて魚の頭部に似せて目や鱗，鰓等の様々な模様が塗装される。
【００１７】
フック４は魚を捕らえる針である。フラスカート５は、ナイロンやポリプロピレン樹脂，塩化ビニル樹脂等から構成される糸状部材であって、この多数の糸状部から構成されるものである。
このように構成されたルアーでは、シャフト１の折り曲げ部分に釣糸を連結して用いられる。このルアーを水中に投げ入れ泳動させると、ブレイド２が水流を受けて回転し、その振動がシャフト１を介してボディ部３に伝達されてボディ部３が動き、ボディ部３のフラスカート５が流水になびく等様々な動きを演出し魚の興味を引き立てる。
【００１８】
そして、このシャフト１はＸ部分及びＹ部分において左右方向に短径となる断面楕円形状を為しており、この左右方向においてブレイド２からの振動が良好に増幅され、ボディ部３の左右方向への振動が強調される。また、シャフト１の振動中心となる中央部分においてはこのような断面楕円形状となっていないため、振動が中央部分で減衰してしまうこともない。また、別段特別な素材を用いることなく、簡易なプレス加工等によって良好な振動を演出し制御できるのである。
【００１９】
［他の実施形態］
（ａ）上記実施形態においては、ＸＹ両部分において断面形状を楕円形に加工しているが、Ｘ部分においてのみかかる加工を施してもよい。Ｘ部分のみへの加工によっても、十分な振動の強調を為しえる。
（ｂ）シャフト１の扁平は上記実施形態のように左右方向を短径とする楕円形状のみではなく、逆に上下方向を短径とするような加工を施してもよい。また、楕円形状のみではなく、例えば、矩形状などへの加工でもよい。
【００２０】
【発明の効果】
本発明のスピナベイト型ルアーは、ブレイドからの振動が良好にボディに伝達されて様々な動きを為す。また、経済的且つ簡易に製造可能である。
【図面の簡単な説明】
【図１】本発明の一実施形態を採用したルアーの全体図。
【図２】図１のシャフトの断面図。
【図３】図１のシャフトの断面図。
【図４】図１のシャフトのＸ部分の参考図。
【図５】図４のV-V断面図。
【図６】図４のVI-VI断面図。
【符号の説明】
１  シャフト
２  ブレイド
３  ボディ部
４  フック部
５  フラスカート
【図１】
0003797920.tif 000002
【図２】
0003797920.tif 000003
【図３】
0003797920.tif 000004
【図４】
0003797920.tif 000005
【図５】
0003797920.tif 000006
【図６】
0003797920.tif 000007